【手続補正書】
【提出日】平成26年12月1日(2014.12.1)
【手続補正１】
【補正対象書類名】明細書
【補正対象項目名】００１２
【補正方法】変更
【補正の内容】
【００１２】
本発明によれば、複数の設備で複数の蓄電池を移転して使用する場合の劣化予測を行い、この劣化予測の結果に基づき、蓄電池の最適な移転先を決定することを支援できる。よって、蓄電池の総合的なライフサイクルにかかるコストの低減に寄与できる。
【手続補正２】
【補正対象書類名】特許請求の範囲
【補正対象項目名】全文
【補正方法】変更
【補正の内容】
【特許請求の範囲】
【請求項１】
複数の設備でそれぞれ使用される蓄電池の状態を表わす電池情報を収集する収集部と、
前記収集部により収集された電池情報に基づき、複数の設備の中で前記蓄電池を移転させて使用した場合の前記蓄電池の劣化予測を行う劣化予測部と、
を具備する蓄電池移転支援装置。
【請求項２】
前記劣化予測部の予測結果と、複数の設備における蓄電池に対する要求情報とに基づいて、前記複数の蓄電池を複数の設備の中で移転させて使用する場合の移転先を少なくとも含む移転予定を判定する移転判定部と、
をさらに具備する請求項１記載の蓄電池移転支援装置。
【請求項３】
前記複数の設備には、蓄電池の電力により走行する複数の車両と、蓄電池の電力により機器を動作させる複数の居住施設と、蓄電池の電力により産業用機器を駆動させる複数の工場施設とが含まれ、
前記劣化予測部は、
前記複数の蓄電池が一番目に前記複数の車両の何れかで使用され、その後、他の設備に移転する移転パターンに従って前記複数の蓄電池の劣化予測を行う
請求項１又は２記載の蓄電池移転支援装置。
【請求項４】
前記複数の設備には、蓄電池の電力により走行する複数の車両と、蓄電池の電力により機器を動作させる複数の居住施設と、蓄電池の電力により産業用機器を駆動させる複数の工場施設とが含まれ、
前記移転判定部は、
前記複数の蓄電池が一番目に前記複数の車両の何れかで使用され、その後、他の設備に移転する移転パターンに従って前記移転予定を判定する、
請求項２記載の蓄電池移転支援装置。
【請求項５】
前記複数の蓄電池には、新規投入される新品の蓄電池と、回収された中古の蓄電池と、の一方または両方が含まれる請求項１〜４の何れか一項に記載の蓄電池移転支援装置。
【請求項６】
前記移転判定部は、
蓄電池の移転条件を表わす複数の判定要件について要件充足度を総合的に向上させる演算処理を行って前記移転予定を判定する
請求項２又は４に記載の蓄電池移転支援装置。
【請求項７】
前記移転予定には移転時期がさらに含まれ、
前記複数の判定要件には、
各設備で使用中の蓄電池の性能がこの設備で要求される性能の下限近傍になる時期に移転時期を近づけるという要件が含まれる
請求項６記載の蓄電池移転支援装置。
【請求項８】
前記複数の判定要件には、
各設備で要求される蓄電池の電力供給量が維持できなくなる前に、この設備へ蓄電池を移転させて要求される電力供給量を維持させるという要件が含まれる
請求項６又は７に記載の蓄電池移転支援装置。
【請求項９】
前記複数の判定要件には、
一つの設備で使用される複数の蓄電池の劣化度合いのばらつきを小さくするという要件が含まれる
請求項６〜８の何れか一項に記載の蓄電池移転支援装置。
【請求項１０】
前記要求情報には、各設備の蓄電池の設置スペースの情報が含まれ、
前記複数の判定要件には、
各設備の蓄電池の設置スペースの使用率を上げるという要件が含まれる
請求項６〜９の何れか一項に記載の蓄電池移転支援装置。
【請求項１１】
前記複数の蓄電池には、新規投入される新品の蓄電池が含まれ、
前記複数の判定要件には、
新品の蓄電池が車両以外の設備に投入されることを少なくするという要件が含まれる
請求項６〜１０の何れか一項に記載の蓄電池移転支援装置。
【請求項１２】
前記劣化予測部は、
各蓄電池を前記複数の設備の中を複数の移転パターンで移転させる場合の各蓄電池の劣化予測を行い、
前記移転判定部は、
前記複数の移転パターンで移転させる場合の各劣化予測の結果を参照して前記移転予定を判定する
請求項２、４、６〜１１の何れか一項に記載の蓄電池移転支援装置。
【請求項１３】
前記電池情報には、
蓄電池の充電時および放電時の電圧のログ情報、蓄電池の充電時および放電時の電流のログ情報、蓄電池の温度のログ情報、蓄電池の充電状態のログ情報、蓄電池の劣化状態のログ情報、または、蓄電池の充放電許容電力のログ情報が含まれる
請求項１〜１２の何れか一項に記載の蓄電池移転支援装置。
【請求項１４】
前記要求情報には、
各設備のユーザに約束された蓄電池の供給電力の情報、各設備のユーザに約束された蓄電池の容量情報、および、各設備の蓄電池の設置スペースの情報が含まれる
請求項２、４、６〜１２の何れか一項に記載の蓄電池移転支援装置。
【請求項１５】
前記移転判定部は、
前記設置スペースの情報に基づいて、設置スペースが広いほど、劣化の進んだ蓄電池を移転可能であるものとして前記移転予定を判定する
請求項１４記載の蓄電池移転支援装置。
【請求項１６】
前記劣化予測部の劣化予測、および、前記移転判定部の移転判定は、蓄電池の電池パック単位、電池モジュール単位、または、電池セル単位で行われる
請求項２、４、６〜１２、１４、１５の何れか一項に記載の蓄電池移転支援装置。
【請求項１７】
情報を入力する入力部をさらに具備し、
前記要求情報記憶部には、前記入力部を介して入力された新たな設備の前記要求情報が追加可能であり、
前記移転判定部は、前記新たな設備を含めた複数の設備の中で前記複数の蓄電池を移転させて使用する場合の前記移転予定を判定する
請求項２、４、６〜１２、１４〜１６の何れか一項に記載の蓄電池移転支援装置。
【請求項１８】
前記収集部は、通信ネットワークおよび記憶媒体の一方または両方を介して前記電池情報を収集する
請求項１〜１７の何れか一項に記載の蓄電池移転支援装置。
【請求項１９】
複数の設備でそれぞれ使用される蓄電池の状態を表わす電池情報を収集する収集部と、
前記収集部により収集された電池情報と、複数の設備における蓄電池に対する要求情報とに基づいて、前記複数の蓄電池を複数の設備の中で移転させて使用する場合の移転先を少なくとも含む移転予定を判定する移転判定部と、
を具備する蓄電池移転支援装置。
【請求項２０】
複数の設備でそれぞれ使用される蓄電池の状態を表わす電池情報を収集する収集ステップと、
前記収集ステップにより収集された電池情報と、複数の設備における蓄電池に対する要求情報とに基づいて、前記複数の蓄電池を複数の設備の中で移転させて使用する場合の移転先を少なくとも含む移転予定を判定する移転判定ステップと、
を含む蓄電池移転支援方法。
【請求項２１】
複数の設備でそれぞれ使用される蓄電池の状態を表わす電池情報を通信ネットワークまたは記憶媒体を介して収集する収集ステップと、
前記収集ステップにより収集された電池情報に基づき、複数の設備の中で前記蓄電池を移転させて使用した場合の前記蓄電池の劣化予測を劣化予測部が行う劣化予測ステップと、
を含む蓄電池移転支援方法。
【請求項２２】
前記劣化予測ステップの予測結果と、複数の設備における蓄電池に対する要求情報とに基づいて、前記複数の蓄電池を複数の設備の中で移転させて使用する場合の移転先を少なくとも含む移転予定を移転判定部が判定する移転判定ステップと、
をさらに含む請求項２１記載の蓄電池移転支援方法。